(57)【特許請求の範囲】
【請求項１】
制御スケジュール情報にしたがって動作する被監視機器における資源の使用量を使用時刻に関連付けた資源使用情報を取得する資源使用情報取得手段と、
被監視機器における資源の使用を有益であるとみなす有益使用時間帯と、被監視機器における資源の使用を無駄であるとみなす無駄使用時間帯と、被監視機器における資源の使用量を抑制するべきであるとみなす効率改善時間帯とを含む３つ以上の各時間帯を設定する時間帯設定手段と、
資源使用情報取得手段が取得した資源使用情報に基づいて、時間帯設定手段が設定した各時間帯における資源の使用量を算出する資源使用状態判定手段と、
当該算出した各時間帯における資源の使用量を提示する提示手段と
を備えることを特徴とする省エネルギー診断システム。
【請求項２】
前記時間帯設定手段は、被監視機器の制御スケジュール情報を取得し、予め設定された時間帯設定ルールを当該取得した制御スケジュール情報に適用して前記各時間帯を設定することを特徴とする請求項１記載の省エネルギー診断システム。
【請求項３】
前記時間帯設定手段は、予め設定された時間帯設定ルールを前記取得した制御スケジュール情報と前記資源使用情報取得手段が取得した資源使用情報とに適用して前記各時間帯を設定することを特徴とする請求項２記載の省エネルギー診断システム。
【請求項４】
予め設定されたスケジュール設定ルールを前記各時間帯の設定状態に適用して前記制御スケジュール情報を生成する制御スケジュール生成手段を備えることを特徴とする請求項１乃至３いずれか記載の省エネルギー診断システム。
【請求項５】
前記制御スケジュール生成ルールは、前記効率改善時間帯の開始時刻と終了時刻との少なくとも一方の時刻において被監視機器の動作をオンまたはオフさせる制御内容が設定されていない制御スケジュール情報にしたがって被監視機器が動作している場合、前記少なくとも一方の時刻に被監視機器の動作をオフさせる制御内容を制御スケジュール情報に設定することであることを特徴とする請求項４記載の省エネルギー診断システム。
【請求項６】
前記制御スケジュール生成手段は、予め設定されたスケジュール設定ルールを前記各時間帯の設定状態と前記資源使用情報取得手段が取得した資源使用情報とに適用して前記制御スケジュール情報を生成することを特徴とする請求項４記載の省エネルギー診断システム。
【請求項７】
前記有益使用時間帯と前記無駄使用時間帯との間に前記効率改善時間帯が設定され、当該効率改善時間帯の開始時刻および終了時刻の少なくとも一方の時刻において被監視機器の動作をオフさせる制御内容が設定された制御スケジュール情報にしたがって被監視機器が動作している場合、
前記制御スケジュール生成手段は、
当該効率改善時間帯で被監視機器の動作をオフさせる時刻を前記一方の時刻から変動させて無駄使用時間帯を延長した制御スケジュール情報を生成し、
被監視機器が当該生成した制御スケジュール情報にしたがって動作しているときに、前記無駄使用時間帯の延長期間内にユーザの操作によって被監視機器の動作がオフしなければ、当該効率改善時間帯で被監視機器の動作をオフさせる時刻を変動させて無駄使用時間帯をさらに延長し、
被監視機器が当該生成した制御スケジュール情報にしたがって動作しているときに、前記無駄使用時間帯の延長期間内にユーザの操作によって被監視機器の動作がオフすれば、当該効率改善時間帯で被監視機器の動作をオフさせる時刻を変動させて無駄使用時間帯を短くする
ことを特徴とする請求項６記載の省エネルギー診断システム。
【請求項８】
前記効率改善時間帯の終了時刻に被監視機器の動作をオフする制御内容が制御スケジュール情報に設定されている場合、前記制御スケジュール生成手段は、効率改善時間帯における資源の使用量が漸次減少するように被監視機器が動作する制御スケジュール情報を生成することを特徴とする請求項４記載の省エネルギー診断システム。
【請求項９】
前記資源使用状態判定手段は、前記効率改善時間帯において使用可能な資源の最大使用量と、前記効率改善時間帯における実際の資源の使用量とを比較して、両使用量の差を算出し、前記提示手段は、当該算出した両使用量の差を提示することを特徴とする請求項１乃至８いずれか記載の省エネルギー診断システム。
【請求項１０】
前記資源使用状態判定手段は、前記資源使用情報に基づいて、前記効率改善時間帯における資源の使用量が無駄であるか否かを評価し、前記提示手段は、当該評価結果を提示することを特徴とする請求項１乃至９いずれか記載の省エネルギー診断システム。
【請求項１１】
前記時間帯設定手段は、被監視機器が必ず資源を使用しなければならないとみなす必須使用時間帯を設定し、
前記資源使用状態判定手段は、前記資源使用情報に基づいて、必須使用時間帯における資源の使用量を算出し、当該算出した使用量が所定量以下の場合、被監視機器が使用されていないと判定し、
前記提示手段は、当該判定結果を提示する
ことを特徴とする請求項１乃至１０いずれか記載の省エネルギー診断システム。
【請求項１２】
前記必須使用時間帯の少なくとも開始時刻に制御内容が設定されていない制御スケジュール情報にしたがって被監視機器が動作している場合、当該必須使用時間帯の少なくとも開始時刻に被監視機器の動作をオンさせる制御スケジュール情報を生成する制御スケジュール生成手段を備えることを特徴とする請求項１１記載の省エネルギー診断システム。
【請求項１３】
操作者が前記制御スケジュール情報を作成するためのスケジュール入力手段と、
当該作成された制御スケジュール情報と前記各時間帯の設定状態との整合性を判定するスケジュール判定手段とを備え、
前記提示手段は、スケジュール判定手段の判定結果を提示する
ことを特徴とする請求項１乃至１２いずれか記載の省エネルギー診断システム。
【発明の詳細な説明】
【技術分野】
【０００１】
本発明は、省エネルギー診断システムに関するものである。
【背景技術】
【０００２】
従来、建物や施設内に設置された電気機器（被監視機器）から電力使用量（資源使用量）のデータを収集するとともに、温度や湿度などの環境情報や各機器の制御情報などのデータを収集し、所定の期間（例えば日、月、年の単位）毎に収集データを集計して、電力消費量を折れ線グラフや棒グラフなどでグラフ表示する省エネルギー診断システムが提供されていた（例えば特許文献１参照）。
【先行技術文献】
【特許文献】
【０００３】
【特許文献１】特開平８−５０５０１号公報
【発明の概要】
【発明が解決しようとする課題】
【０００４】
上述した従来の省エネルギー診断システムでは、収集した数値をグラフ表示するだけで、運用の実態を把握し難く、電力やガス等の資源が無駄に消費されているか否かを的確に判断することは、エネルギー管理技術に精通した、十分な知識を有する管理者でなければ難しかった。
【０００５】
また、所定の制御スケジュール情報にしたがって動作する電気機器の場合、制御スケジュールが的確に設定されているか否かを判断することも、十分な知識を有する管理者でなければ難しかった
本発明は、上記事由に鑑みてなされたものであり、その目的は、十分な知識を有さない管理者であっても、被監視機器が資源を無駄に使用しているか否かを的確に判断することができる省エネルギー診断システムを提供することにある。
【課題を解決するための手段】
【０００６】
請求項１の発明は、制御スケジュール情報にしたがって動作する被監視機器における資源の使用量を使用時刻に関連付けた資源使用情報を取得する資源使用情報取得手段と、被監視機器における資源の使用を有益であるとみなす有益使用時間帯と、被監視機器における資源の使用を無駄であるとみなす無駄使用時間帯と、被監視機器における資源の使用量を抑制するべきであるとみなす効率改善時間帯とを含む３つ以上の各時間帯を設定する時間帯設定手段と、資源使用情報取得手段が取得した資源使用情報に基づいて、時間帯設定手段が設定した各時間帯における資源の使用量を算出する資源使用状態判定手段と、当該算出した各時間帯における資源の使用量を提示する提示手段とを備えることを特徴とする。
【０００７】
この発明によれば、資源の使用量の実績を、有益使用時間帯、無駄使用時間帯、効率改善時間帯の各期間の範囲と併せて見ることで、資源を有益に使用しているか否か、資源を無駄に使っているか否かを意識することができる。すなわち、管理者は、有益使用時間帯での資源の使用は適切であり、効率改善時間帯での資源の使用は無駄であると判断できる。さらに、被監視機器における資源の使用量を抑制するべきであるとみなす効率改善時間帯を設けており、このような業務効率化を目的とする時間帯を設けることによって、十分な知識を有さない管理者であっても、業務効率化を目的とする時間帯を意識しながら省エネルギー診断を行い、直感的な判断で制御スケジュールを改善して、省エネルギー化を図ることができる。また、有益使用時間帯、無駄使用時間帯、効率改善時間帯の各時間帯を設定することによって、管理者は、資源の使用状況を正確に把握でき、無駄な資源使用量を多く見積もったり、逆に少なく見積もることを防ぐことができ、制御スケジュールの改善点を的確に見出すことができる。すなわち、十分な知識を有さない管理者であっても、被監視機器が資源を無駄に使用しているか否かを的確に判断することができる。
【０００８】
請求項２の発明は、請求項１において、前記時間帯設定手段は、被監視機器の制御スケジュール情報を取得し、予め設定された時間帯設定ルールを当該取得した制御スケジュール情報に適用して前記各時間帯を設定することを特徴とする。
【０００９】
この発明によれば、制御スケジュール情報に基づいて、有益使用時間帯、無駄使用時間帯、効率改善時間帯の各時間帯を管理者の手を煩わせることなく自動設定することができる。
【００１０】
請求項３の発明は、請求項２において、前記時間帯設定手段は、予め設定された時間帯設定ルールを前記取得した制御スケジュール情報と前記資源使用情報取得手段が取得した資源使用情報とに適用して前記各時間帯を設定することを特徴とする。
【００１１】
この発明によれば、被監視機器の制御スケジュール情報と被監視機器の実際の使用状況とに基づいて、有益使用時間帯、無駄使用時間帯、効率改善時間帯の各時間帯を管理者の手を煩わせることなく自動設定することができ、管理者の専門性に関係なく、各時間帯を最適に設定できる。而して、管理者は、資源の使用状況をより正確に把握でき、資源の使用が有益か否かの判断を容易に行うことができる。
【００１２】
請求項４の発明は、請求項１乃至３いずれかにおいて、予め設定されたスケジュール設定ルールを前記各時間帯の設定状態に適用して前記制御スケジュール情報を生成する制御スケジュール生成手段を備えることを特徴とする。
【００１３】
この発明によれば、スケジュール設定ルールを各時間帯の設定状況に適用して制御スケジュールを作成、改善しており、管理者の手を煩わせることなく制御スケジュールを自動作成することができる。
【００１４】
請求項５の発明は、請求項４において、前記制御スケジュール生成ルールは、前記効率改善時間帯の開始時刻と終了時刻との少なくとも一方の時刻において被監視機器の動作をオンまたはオフさせる制御内容が設定されていない制御スケジュール情報にしたがって被監視機器が動作している場合、前記少なくとも一方の時刻に被監視機器の動作をオフさせる制御内容を制御スケジュール情報に設定することであることを特徴とする。
【００１５】
この発明によれば、できるだけ省エネルギー方向に改善する制御スケジュールを管理者の手を煩わせることなく自動作成することができる。
【００１６】
請求項６の発明は、請求項４において、前記制御スケジュール生成手段は、予め設定されたスケジュール設定ルールを前記各時間帯の設定状態と前記資源使用情報取得手段が取得した資源使用情報とに適用して前記制御スケジュール情報を生成することを特徴とする。
【００１７】
この発明によれば、制御スケジュールは、被監視機器の使用状況に即して、より省エネルギー方向に改善される。
【００１８】
請求項７の発明は、請求項６において、前記有益使用時間帯と前記無駄使用時間帯との間に前記効率改善時間帯が設定され、当該効率改善時間帯の開始時刻および終了時刻の少なくとも一方の時刻において被監視機器の動作をオフさせる制御内容が設定された制御スケジュール情報にしたがって被監視機器が動作している場合、前記制御スケジュール生成手段は、当該効率改善時間帯で被監視機器の動作をオフさせる時刻を前記一方の時刻から変動させて無駄使用時間帯を延長した制御スケジュール情報を生成し、被監視機器が当該生成した制御スケジュール情報にしたがって動作しているときに、前記無駄使用時間帯の延長期間内にユーザの操作によって被監視機器の動作がオフしなければ、当該効率改善時間帯で被監視機器の動作をオフさせる時刻を変動させて無駄使用時間帯をさらに延長し、被監視機器が当該生成した制御スケジュール情報にしたがって動作しているときに、前記無駄使用時間帯の延長期間内にユーザの操作によって被監視機器の動作がオフすれば、当該効率改善時間帯で被監視機器の動作をオフさせる時刻を変動させて無駄使用時間帯を短くすることを特徴とする。
【００１９】
この発明によれば、制御スケジュールは、被監視機器の使用状況に即して、より省エネルギー方向に改善される。また、制御スケジュールの登録件数の上限による制限や、実際の快適性の点からも有利である。
【００２０】
請求項８の発明は、請求項４において、前記効率改善時間帯の終了時刻に被監視機器の動作をオフする制御内容が制御スケジュール情報に設定されている場合、前記制御スケジュール生成手段は、効率改善時間帯における資源の使用量が漸次減少するように被監視機器が動作する制御スケジュール情報を生成することを特徴とする。
【００２１】
この発明によれば、制御スケジュールは、効率改善時間帯において、より省エネルギー方向に改善されており、効率改善時間帯での省エネルギー化を実現している。
【００２２】
請求項９の発明は、請求項１乃至８いずれかにおいて、前記資源使用状態判定手段は、前記効率改善時間帯において使用可能な資源の最大使用量と、前記効率改善時間帯における実際の資源の使用量とを比較して、両使用量の差を算出し、前記提示手段は、当該算出した両使用量の差を提示することを特徴とする。
【００２３】
この発明によれば、管理者は、資源使用の削減量を提示されることで、省エネルギーに対する意識がより高まり、省エネルギー化に対する意識啓発となる。
【００２４】
請求項１０の発明は、請求項１乃至９いずれかにおいて、前記資源使用状態判定手段は、前記資源使用情報に基づいて、前記効率改善時間帯における資源の使用量が無駄であるか否かを評価し、前記提示手段は、当該評価結果を提示することを特徴とする。
【００２５】
この発明によれば、管理者は、効率改善時間帯における無駄な資源の使用量を提示されることで、効率改善時間帯における無駄な制御内容を判別しやすくなり、制御スケジュールの改善点を的確に見出すことができる。
【００２６】
請求項１１の発明は、請求項１乃至１０いずれかにおいて、前記時間帯設定手段は、被監視機器が必ず資源を使用しなければならないとみなす必須使用時間帯を設定し、前記資源使用状態判定手段は、前記資源使用情報に基づいて、必須使用時間帯における資源の使用量を算出し、当該算出した使用量が所定量以下の場合、被監視機器が使用されていないと判定し、前記提示手段は、当該判定結果を提示することを特徴とする。
【００２７】
この発明によれば、管理者が、省エネルギー効果を追及するあまり、夜間の看板や非常灯等のような動作必須被監視機器の動作を停止させ、必要な資源も安易に削減するような誤った制御スケジュールを作成した場合に、この誤りを検出し、管理者に通知することができる。
【００２８】
請求項１２の発明は、請求項１１において、前記必須使用時間帯の少なくとも開始時刻に制御内容が設定されていない制御スケジュール情報にしたがって被監視機器が動作している場合、当該必須使用時間帯の少なくとも開始時刻に被監視機器の動作をオンさせる制御スケジュール情報を生成する制御スケジュール生成手段を備えることを特徴とする。
【００２９】
この発明によれば、制御スケジュールは、使用必須時間帯における動作必須被監視機器を確実に動作させるものとなり、被監視機器の運用を適切に改善できる。
【００３０】
請求項１３の発明は、請求項１乃至１２いずれかにおいて、操作者が前記制御スケジュール情報を作成するためのスケジュール入力手段と、当該作成された制御スケジュール情報と前記各時間帯の設定状態との整合性を判定するスケジュール判定手段とを備え、前記提示手段は、スケジュール判定手段の判定結果を提示することを特徴とする。
【００３１】
この発明によれば、管理者が、作成した制御スケジュールの誤りを検知でき、被監視機器の運用を適切に行うことができる。
【発明の効果】
【００３２】
以上説明したように、本発明では、十分な知識を有さない管理者であっても、被監視機器が資源を無駄に使用しているか否かを的確に判断することができるという効果がある。
【図面の簡単な説明】
【００３３】
【図１】実施形態１の省エネルギー診断システムの概略構成を示す図である。
【図２】同上の端末装置のブロック構成を示す図である。
【図３】同上の中央監視盤のブロック構成を示す図である。
【図４】同上の提示する画面の概略構成を示す図である。
【図５】同上の時間帯の手動設定処理を示す図である。
【図６】同上の時間帯の自動設定処理を示す図である。
【図７】（ａ）（ｂ）同上のオン・オフ情報、時間差情報の構造を示す図である。
【図８】実施形態２の演算部のブロック構成を示す図である。
【図９】（ａ）〜（ｃ）同上の制御スケジュールの生成処理を示す図である。
【図１０】（ａ）〜（ｃ）同上の制御スケジュールの自動調整処理を示す図である。
【図１１】（ａ）〜（ｃ）同上の制御スケジュールの効率改善時間帯における制御内容を示す図である。
【図１２】実施形態３の提示する画面の概略構成を示す図である。
【図１３】実施形態４の提示する画面の概略構成を示す図である。
【図１４】実施形態５の演算部のブロック構成を示す図である。
【発明を実施するための形態】
【００３４】
以下、本発明の実施の形態を図面に基づいて説明する。
【００３５】
（実施形態１）
本実施形態では、例えば飲食店内に設置された照明器具及び空調機（被監視機器）の使用電力量（資源の使用量）を管理する形態を例に説明するが、スーパーマーケットや事業所などの建物内で被監視機器の使用電力量を管理するシステムでも良いし、また被監視機器として照明器具、空調機以外の電気機器の使用電力量を監視するようにしても良い。
【００３６】
図１は省エネルギー診断システムの全体構成を示す概略構成図であり、本システムは、店舗Ｂ内に配設された被監視機器（例えば照明器具Ｌ１，Ｌ２および空調機ＡＣ１，ＡＣ２からなる）の使用電力量を管理して、省エネルギー診断を行うために用いられる。
【００３７】
本システムは店舗Ｂ内に設置された被監視機器（照明器具Ｌ１，Ｌ２、空調機ＡＣ１，ＡＣ２など）の使用電力量を監視して中央監視盤２に出力する電力量監視装置３と、被監視機器の動作を制御する照明制御装置５および空調制御装置６と、電力量監視装置３、照明制御装置５および空調制御装置６にインターネットのような通信ネットワークＮＴを介して接続される中央監視盤２と、中央監視盤２に通信ネットワークＮＴを介して接続される端末装置１とを主要な構成として備えている。なお電力量監視装置３、照明制御装置５および空調制御装置６にはそれぞれグローバルＩＰアドレスが設定され、通信ネットワークＮＴを介して通信を行う機能を備えている。
【００３８】
先ず店舗Ｂ内に配設された被監視機器について説明する。店舗Ｂは、２つのゾーンＺ１，Ｚ２に区分けしている。各ゾーンＺ１，Ｚ２には、各々複数台の照明器具Ｌ１，Ｌ２と、空調機ＡＣ１，ＡＣ２と、各ゾーンＺ１，Ｚ２に設けられて同じゾーン内にある照明器具Ｌ１，Ｌ２のオン／オフなどの操作を行うための操作スイッチＳ１，Ｓ２と、各ゾーンＺ１，Ｚ２における人の存否を感知する人感センサＲ１，Ｒ２（人検出手段）とが配設されている。
【００３９】
また店舗Ｂ内には、商用電源ＡＣに接続された主幹ブレーカ４０および分岐ブレーカ４１〜４４を内部に収納した分電盤４が設置されており、分岐ブレーカ４１を介して分岐される分岐回路５１にはゾーンＺ１に配設された複数台の照明器具Ｌ１が接続され、分岐ブレーカ４２を介して分岐される分岐回路５２にはゾーンＺ２に配設された複数台の照明器具Ｌ２が接続されている。また分岐ブレーカ４３を介して分岐される分岐回路５３にはゾーンＺ１に配設された空調機ＡＣ１が接続され、分岐ブレーカ４４を介して分岐される分岐回路５４にはゾーンＺ２に配設された空調機ＡＣ４が接続されている。各分岐回路５１〜５４にはそれぞれ計量ポイントＰ１〜Ｐ４が設けられ、電力計３１〜３４がそれぞれ対応する計量ポイントＰ１〜Ｐ４での負荷電流を計測することによって、各分岐回路５１〜５４での使用電力量を所定の計測周期毎に測定し、内蔵メモリに記憶している。また電力計３１〜３４は信号線ＬＮ３を介して電力量監視装置３に接続されており、所定の送信周期が経過する毎に、内蔵メモリに蓄積した計測結果を電力量監視装置３に出力する。
【００４０】
また、各ゾーンＺ１，Ｚ２に配設された照明器具Ｌ１，Ｌ２、操作スイッチＳ１，Ｓ２、人感センサＲ１，Ｒ２は伝送線ＬＮ１を介して照明制御装置５に接続されている。照明器具Ｌ１，Ｌ２、操作スイッチＳ１，Ｓ２および人感センサＲ１，Ｒ２には個別のアドレス情報が割り当てられており、照明制御装置５では、アドレス情報を含めた伝送信号を伝送線ＬＮ１に送出することによって、所望の照明器具Ｌ１，Ｌ２、操作スイッチＳ１，Ｓ２又は人感センサＲ１，Ｒ２との間で伝送信号を授受することができる。ここで、照明制御装置５は、端末装置１或いは中央監視盤２から送信された制御スケジュール情報を記憶する記憶部（図示せず）を備えている。制御スケジュール情報には、例えば曜日毎に各ゾーンＺ１，Ｚ２の照明器具Ｌ１，Ｌ２を点灯させる時刻と消灯させる時刻とが登録されており、制御スケジュール情報で指定された点灯時刻がくると、対応する照明器具Ｌ１，Ｌ２に点灯制御信号を送信して、この照明器具を点灯させるとともに、制御スケジュール情報で指定された消灯時刻がくると、対応する照明器具Ｌ１，Ｌ２に消灯制御信号を送信して、この照明器具を消灯させる。また所望の照明器具Ｌ１，Ｌ２を点灯又は消灯させるために、就業者が対応する操作スイッチＳ１，Ｓ２を操作すると、操作スイッチＳ１，Ｓ２から照明制御装置５に操作信号が送信される。このとき、照明制御装置５では、操作スイッチＳ１，Ｓ２から入力された操作信号に応じて対応する照明器具Ｌ１，Ｌ２に制御信号を送信し、対応する照明器具Ｌ１，Ｌ２を点灯又は消灯させているので、制御スケジュール情報で指定された時間帯以外でも照明器具Ｌ１，Ｌ２を点灯させることができる。また各ゾーンＺ１，Ｚ２に設置された人感センサＲ１，Ｒ２が人を検知すると、人感センサＲ１，Ｒ２から照明制御装置５へ人体検知信号が送信され、照明制御装置５に人体検知信号の履歴が記憶される。
【００４１】
一方、各ゾーンＺ１，Ｚ２に配設された空調機ＡＣ１，ＡＣ２は伝送線ＬＮ２を介して空調制御装置６に接続されている。空調機ＡＣ１，ＡＣ２には個別のアドレス情報が割り当てられており、空調制御装置６では、アドレス情報を含めた伝送信号を伝送線ＬＮ２に送出することによって、所望の空調機ＡＣ１，ＡＣ２との間で伝送信号を授受することができる。ここで、空調制御装置６は、端末装置１或いは中央監視盤２から送信された制御スケジュール情報を記憶する記憶部（図示せず）を備えている。制御スケジュール情報には、例えば曜日毎に各ゾーンＺ１，Ｚ２にある空調機ＡＣ１，ＡＣ２の運転開始時刻と運転終了時刻が登録されており、制御スケジュール情報で指定された運転開始時刻がくると、対応する空調機ＡＣ１，ＡＣ２に運転開始信号を送信して、この空調機を運転状態に切り替えるとともに、制御スケジュール情報で指定された運転終了時刻がくると、対応する空調機ＡＣ１，ＡＣ２に運転終了信号を送信して、この空調機を停止状態に切り替えている。また各ゾーンＺ１，Ｚ２には同じゾーンにある空調機ＡＣ１，ＡＣ２のオン／オフなどの操作を行うための操作スイッチ（図示せず）が配設されており、所望の空調機ＡＣ１，ＡＣ２を運転又は停止させるために、就業者が対応する操作スイッチを操作すると、操作スイッチから空調制御装置６に操作信号が送信される。このとき、空調制御装置６では、操作スイッチから入力された操作信号に応じて対応する空調機ＡＣ１，ＡＣ２に制御信号を送信し、空調機ＡＣ１，ＡＣ２を運転状態から停止状態へ、或いは、停止状態から運転状態に切り替えているので、制御スケジュール情報で指定された時間帯以外でも空調機ＡＣ１，ＡＣ２を動作させることができる。
【００４２】
また図３は中央監視盤２の概略構成を示すブロック図であり、ネットワークＮＴを経由した通信を行う通信部２１と、通信部２１が電力量監視装置３から取得した各分岐回路５１〜５４の使用電力量の計測結果や照明制御装置５から取得した人感センサＲ１，Ｒ２の測定データを記憶する記憶部２２と、演算部２３とを主要な構成として備えている。中央監視盤２の演算部２３では、所定のデータ収集期間が経過する毎に通信部２１から電力量監視装置３や照明制御装置５にデータ要求信号を送信し、このデータ要求信号に応じて電力量監視装置３から各分岐回路５１〜５４の使用電力量の計測結果が返送されるとともに、照明制御装置５から人感センサＲ１，Ｒ２の検知信号などが返送されると、通信部２１によって受信された使用電力量の計測結果や人感センサＲ１，Ｒ２の検知信号などを記憶部２２に記憶させている。
【００４３】
ここで、本システムでは端末装置１に、使用電力量の管理や使用電力が有益か否かを評価する処理を実行させるためのプログラムを搭載してあり、このプログラムを端末装置１が実行することによって、使用電力量の管理機能や電力評価機能が実現される。
【００４４】
端末装置１は、図２のブロック図に示すように、キーボードやマウスやタッチパネルなどからなる入力部１１と、後述の演算部１４によって表示内容が制御されるディスプレイなどの表示部１２（提示手段）と、ハードディスクのような大容量記憶装置やＲＯＭ，ＲＡＭなどのメモリからなり、上述のプログラムや使用電力量の計測結果などを記憶する記憶部１３と、記憶部１３に記憶されたプログラムを実行する演算部１４と、ネットワークＮＴを経由した通信を行う通信部１５とを備えている。
【００４５】
演算部１４は、記憶部１３に記憶されたプログラムを実行することで、資源使用情報取得部１４ａ（資源使用情報取得手段）、時間帯設定部１４ｂ（時間帯設定手段）、資源使用状態判定部１４ｃ（資源使用状態判定手段）として機能する。
【００４６】
上述の制御システムでは予め設定された制御スケジュールにしたがって被監視機器のオン、オフが制御されており、例えば就業時間中は全ての被監視機器をオンさせるとともに、就業時間外は全ての被監視機器をオフさせるような制御スケジュール情報が設定されている場合に、全ての被監視機器がスケジュール通りに動作していれば、就業時間外に動作する被監視機器は存在せず、無駄な電力消費が発生することはない。しかしながら、全ての被監視機器が所定のスケジュール通りに使用されるとは限らず、例えば就業時間外に従業員が何らかの作業を行いたい場合に、操作スイッチＳ１，Ｓ２等を操作して所望の被監視機器（照明器具Ｌ１，Ｌ２又は空調機ＡＣ１，ＡＣ２）を動作させた後に、被監視機器を停止させるのを忘れて退社すると、被監視機器がそのまま動作しつづけ、電力が無駄に消費されてしまう可能性があった。
【００４７】
本発明の省エネルギー診断システムは、このような使われ方をする制御システムにおいて、被監視機器の各時間区分での電力使用が有益であるか否かを評価したり、使用電力量を低減可能な制御スケジュールを作成する省エネルギー診断のために用いられるものであり、以下に、店舗Ｂの電力管理者が、端末装置１を用いて被監視機器の使用電力量を把握した後、省エネルギー診断を行う手順について、説明する。
【００４８】
まず、本システムのように端末装置１が通信ネットワークＮＴを介して監視対象の中央監視盤２に接続されている場合は、端末装置１の演算部１４の資源使用情報取得部１４ａが、中央監視盤２から通信部１５を介して、各分岐回路５１〜５４における使用電力量のデータ（資源使用情報）を自動収集して、収集した使用電力量のデータを記憶部１３に格納するようになっている。この使用電力量のデータは時刻に関連付けられており、記憶部１３には、使用電力量のデータが時刻に対応付けて格納される。
【００４９】
演算部１４の時間帯設定部１４ｂは、１日の２４時間において、被監視機器における電力の使用を有益であるとみなす有益使用時間帯Ｔ１と、被監視機器における電力の使用を無駄であるとみなす無駄使用時間帯Ｔ２と、被監視機器における電力の使用量を抑制するべきであるとみなす効率改善時間帯Ｔ３の各時間帯を設定する。この時間帯設定は、各分岐回路５１〜５４毎に設定され、電力管理者による入力部１１の操作に応じて時間帯設定部１４ｂが行う。以下、分岐回路５１を対象として、店舗Ｂの営業時間である８時〜２０時を有益使用時間帯Ｔ１、店舗Ｂの閉店時間である０時〜７時、２２時〜２４時を無駄使用時間帯Ｔ２、開店準備および閉店準備の時間である７時〜８時、２０時〜２２時を効率改善時間帯Ｔ３に設定したとして説明する。
【００５０】
そして、資源使用状態判定部１４ｃは、資源使用情報取得部１４ａが取得した使用電力量のデータに基づいて、時間帯設定部１４ｂが設定した各時間帯Ｔ１，Ｔ２，Ｔ３における使用電力量を算出し、表示部１２が、各時間帯Ｔ１，Ｔ２，Ｔ３における使用電力量を提示する。
【００５１】
図４は、表示部１２がディスプレイ上に提示する画面であり、資源使用状態判定部１４ｃは、分岐回路５１に設定された有益使用時間帯Ｔ１、無駄使用時間帯Ｔ２、効率改善時間帯Ｔ３の時間範囲を示す時間帯表示部Ｇ１を生成している。時間帯表示部Ｇ１は、２４時間を１時間単位で分割したセル毎に、当該セルがどの時間帯に属しているかを色分けして表示する。なお、図４は白黒表示のため、有益使用時間帯Ｔ１に属するセルを右上がりの斜線で表し、無駄使用時間帯Ｔ２に属するセルを網線で表し、効率改善時間帯Ｔ３に属するセルをドットで表す。
【００５２】
さらに資源使用状態判定部１４ｃは、月曜日から日曜日までの一週間の期間における分岐回路５１の使用電力の状態を示す週間表示部Ｇ２を、時間帯表示部Ｇ１の下方に生成している。資源使用状態判定部１４ｃは、週間表示部Ｇ２の生成時に、分岐回路５１の時間毎の使用電力量のデータを所定のしきい値（待機電力量に相当）と比較し、しきい値を超えた期間（つまり分岐回路５１に接続された被監視機器が動作した期間）に対応するセルのみを色づけして表示させ、しきい値未満の期間（つまり分岐回路５１に接続された被監視機器が停止した期間）のセルは非表示として、週間表示部Ｇ２を生成する。しきい値を超えた期間（つまり分岐回路５１に接続された被監視機器が動作した期間）に対応するセルは、当該セルがどの時間帯に属しているかを、時間帯表示部Ｇ１と同様に色分けして表示する。なお、週間表示部Ｇ２のセルは、２４時間を３０分単位で分割して構成される。
【００５３】
さらに資源使用状態判定部１４ｃは、週間表示部Ｇ２の下方に電力使用状況表示部Ｇ３を生成している。電力使用状況表示部Ｇ３は、有益使用時間帯Ｔ１、無駄使用時間帯Ｔ２、効率改善時間帯Ｔ３の各期間における使用電力量と、一週間（総稼動時間帯）における電力使用量の合計を具体的な数字（ｋＷｈ）で表示している。
【００５４】
電力管理者は、入力部１１を操作することで、上記のように生成された表示部１２の提示内容を見ることができる。そして、使用電力量の実績を、有益使用時間帯Ｔ１、無駄使用時間帯Ｔ２、効率改善時間帯Ｔ３の各期間の範囲と併せて見ることで、電力を有益に使用しているか否か、電力を無駄に使っているか否かを意識することができる。すなわち、電力管理者は、有益使用時間帯Ｔ１での使用電力は適切であり、無駄使用時間帯Ｔ２での使用電力は無駄であると判断できる。
【００５５】
さらに、本実施形態では、被監視機器における電力の使用量を抑制するべきであるとみなす効率改善時間帯Ｔ３を設けている。効率改善時間帯Ｔ３は、電力を使用しても使用しなくてもよいが、できるだけ使用電力量を低減させることを目的とする時間帯であり、電力管理者は、効率改善時間帯Ｔ３での使用電力は、必要に応じて使用されたと判断できる。このような業務効率化を目的とする時間帯を設けることによって、十分な知識を有さない電力管理者であっても、業務効率化を目的とする時間帯を意識しながら省エネルギー診断を行い、直感的な判断で制御スケジュールを改善して、省エネルギー化を図ることができる。
【００５６】
また、有益使用時間帯Ｔ１、無駄使用時間帯Ｔ２、効率改善時間帯Ｔ３の各時間帯を設定することによって、電力管理者は、電力の使用状況を正確に把握でき、無駄な使用電力を多く見積もったり、逆に少なく見積もることを防ぐことができ、制御スケジュールの改善点を的確に見出すことができる。
【００５７】
すなわち、十分な知識を有さない電力管理者であっても、被監視機器が電力を無駄に使用しているか否かを的確に判断することができる。
【００５８】
電力管理者は、入力部１１を操作して照明制御装置５及び空調制御装置６から取得した制御スケジュールを、省エネルギー化を目的として改善した後に、通信部１５から照明制御装置５及び空調制御装置６に変更後の制御スケジュール情報を送信し、照明制御装置５及び空調制御装置６に記憶された制御スケジュール情報を更新する。
【００５９】
また、時間帯設定部１４ｂは、照明制御装置５または空調制御装置６から制御スケジュール情報を取得し（分岐回路５１〜５４の各々に対応する制御スケジュール情報）、予め設定された時間帯設定ルールを当該取得した制御スケジュール情報に適用して有益使用時間帯Ｔ１、無駄使用時間帯Ｔ２、効率改善時間帯Ｔ３の各時間帯を自動設定してもよく、この時間帯自動設定について、以下説明する。
【００６０】
照明制御装置５から取得した制御スケジュールは、照明器具Ｌ（Ｌ１，Ｌ２）を点灯させる時刻と消灯させる時刻が登録されており、空調制御装置６から取得した制御スケジュール情報は、空調機ＡＣ（ＡＣ１，ＡＣ２）の運転開始時刻と運転終了時刻が登録されている。以降、制御スケジュール情報において、被監視機器の動作をオンするとは、照明器具Ｌを点灯させる、または空調機ＡＣを運転開始させることを意味し、被監視機器の動作をオフするとは、照明器具Ｌを消灯させる、または空調機ＡＣを運転終了させることを意味する。
【００６１】
時間帯設定部１４ｂが期間自動設定処理に適用する時間帯設定ルールは、以下のように予め設定されている。まず、被監視機器の動作がオンする時刻から、被監視機器の動作がオフする時刻までの間を、有益使用時間帯Ｔ１に設定する。次に、有益使用時間帯Ｔ１の開始時刻から所定時間前（例えば１時間前）までの時間範囲と、有益使用時間帯Ｔ１の終了時刻から所定時間後（例えば２時間後）までの時間範囲とを効率改善時間帯Ｔ３に設定する。次に、上記のように設定した有益使用時間帯Ｔ１および効率改善時間帯Ｔ３以外の時間範囲を無駄使用時間帯Ｔ２に設定する。
【００６２】
例えば図５に示すように、制御スケジュール情報に、被監視機器の動作がオンする時刻８時、被監視機器の動作がオフする時刻２０時が登録されている場合、時間帯設定部１４ｂは、８時〜２０時を有益使用時間帯Ｔ１、７時〜８時、２０時〜２２時を効率改善時間帯Ｔ３、０時〜７時、２２時〜２４時を無駄使用時間帯Ｔ２に設定する。
【００６３】
したがって、制御スケジュール情報に基づいて、有益使用時間帯Ｔ１、無駄使用時間帯Ｔ２、効率改善時間帯Ｔ３の各時間帯を電力管理者の手を煩わせることなく自動設定することができる。
【００６４】
また、時間帯設定部１４ｂは、照明制御装置５または空調制御装置６から取得した制御スケジュール情報だけでなく、資源使用情報取得部１４ａが収集して記憶部１３に格納した各分岐回路５１〜５４における使用電力量のデータも併せて用いることで、有益使用時間帯Ｔ１、無駄使用時間帯Ｔ２、効率改善時間帯Ｔ３の各時間帯を自動設定してもよく、この時間帯自動設定について、以下説明する。
【００６５】
時間帯設定部１４ｂが期間自動設定処理に適用する時間帯設定ルールは、以下のように予め設定されている。まず、被監視機器の動作がオンする時刻から、被監視機器の動作がオフする時刻までの間を、有益使用時間帯Ｔ１に設定する。
【００６６】
次に、時間帯設定部１４ｂは、記憶部１３に格納している実際の使用電力量のデータに基づき、過去の所定期間（例えば１週間前まで）の各日において、有益使用時間帯Ｔ１の開始時刻より前に被監視機器の動作がオンした時刻と有益使用時間帯Ｔ１の開始時刻との時間差（以降、開始時間差と称す）、および有益使用時間帯Ｔ１の終了時刻より後に被監視機器の動作がオフした時刻と有益使用時間帯Ｔ１の終了時刻との時間差（以降、終了時間差と称す）を各々算出する。次に、上記のように日毎に算出した開始時間差の中央値、および上記のように日毎に算出した終了時間差の中央値を導出する。そして、有益使用時間帯Ｔ１の開始時刻から開始時間差の中央値前までの時間帯、および有益使用時間帯Ｔ１の終了時刻から終了時間差の中央値後までの時間帯の各々を、効率改善時間帯Ｔ３に設定する。
【００６７】
さらに、上記のように設定した有益使用時間帯Ｔ１および効率改善時間帯Ｔ３以外の時間範囲を無駄使用時間帯Ｔ２に設定する。
【００６８】
例えば、図６に示すように、分岐回路５１の制御スケジュール情報に、被監視機器の動作がオンする時刻８時、被監視機器の動作がオフする時刻２０時が登録されている場合、時間帯設定部１４ｂは、８時〜２０時を有益使用時間帯Ｔ１に設定する。
【００６９】
次に、時間帯設定部１４ｂは、記憶部１３に格納した分岐回路５１における使用電力量のデータのうち過去の所定期間（例えば１週間前まで）のデータを読み出し、当該読み出した使用電力量のデータを所定のしきい値（待機電力量に相当）と比較し、しきい値を超えた場合、分岐回路５１に接続した被監視機器の動作がオンしたと判断し、しきい値未満の場合、分岐回路５１に接続した被監視機器の動作がオフしたと判断する。そして、図７（ａ）に示すように、分岐回路５１に接続した被監視機器がオンした時刻、オフした時刻を日毎に格納したオン・オフ情報を作成する。
【００７０】
次に、時間帯設定部１４ｂは、オン・オフ情報に基づいて、日毎の開始時間差および終了時間差を算出し、図７（ｂ）に示すように、日毎の開始時間差および終了時間差を格納した時間差情報を作成する。次に、時間差情報から、過去の所定期間（例えば１週間前まで）における開始時間差の中央値および終了時間差の中央値を導出する。この場合、開始時間差の中央値「１時間」、終了時間差の中央値「１時間」とする。そして、有益使用時間帯Ｔ１の開始時刻８時から１時間前（７時）までの時間帯、および有益使用時間帯Ｔ１の終了時刻２０時から１時間後（２１時）までの時間帯の各々を、効率改善時間帯Ｔ３に設定する（図６参照）。さらに、有益使用時間帯Ｔ１および効率改善時間帯Ｔ３以外の時間範囲を無駄使用時間帯Ｔ２に設定する（図６参照）。
【００７１】
そして、時間帯設定部１４ｂは、上記の各時間帯の設定処理を日毎に繰り返すことで、被監視機器の制御スケジュール情報と被監視機器の実際の使用状況とに基づいた各時間帯を設定することが可能となる。
【００７２】
したがって、被監視機器の制御スケジュール情報と被監視機器の実際の使用状況とに基づいて、有益使用時間帯Ｔ１、無駄使用時間帯Ｔ２、効率改善時間帯Ｔ３の各時間帯を電力管理者の手を煩わせることなく自動設定することができ、電力管理者の専門性に関係なく、各時間帯を最適に設定できる。而して、電力管理者は、電力の使用状況をより正確に把握でき、使用電力が有益か否かの判断を容易に行うことができる。
【００７３】
（実施形態２）
本実施形態は、図８に示すように、端末装置１の演算部１４に、制御スケジュール生成部１４ｄ（制御スケジュール生成手段）を設けて、有益使用時間帯Ｔ１、無駄使用時間帯Ｔ２、効率改善時間帯Ｔ３（Ｔ３１，Ｔ３２）の各時間帯が設定された後において、スケジュール設定ルールを各時間帯の設定状況に適用して制御スケジュールを作成、改善するものである。なお、実施形態１と同様の構成には同一の符号を付して説明は省略する。
【００７４】
まず、図９に示すように、有益使用時間帯Ｔ１が８時〜２０時、無駄使用時間帯Ｔ２が０時〜７時、２２時〜２４時、効率改善時間帯Ｔ３１が７時〜８時、効率改善時間帯Ｔ３２が２０時〜２２時に設定され、制御スケジュール情報は、被監視機器の動作がオンする時刻８時、被監視機器の動作がオフする時刻２０時が登録されているとする。この状態で、制御スケジュール生成部１４ｄは、以下のように動作する。
【００７５】
制御スケジュール生成部１４ｄは、照明制御装置５または空調制御装置６から制御スケジュールを取得する。取得した現在の制御スケジュールは、図９（ａ）に示すように、効率改善時間帯Ｔ３１の終了時刻８時に、被監視機器の動作をオンさせる制御内容が設定され、効率改善時間帯Ｔ３２の開始時刻２０時に、被監視機器の動作をオフさせる制御内容が設定されている。
【００７６】
そして、制御スケジュール生成部１４ｄが本スケジュール自動設定処理に適用するスケジュール設定ルールは、以下のように予め設定されている。まず、効率改善時間帯Ｔ３１の開始時刻７時、効率改善時間帯Ｔ３２の終了時刻２２時には、制御内容が設定されていない。そこで、制御スケジュール生成部１４ｄは、図９（ｂ）に示すように、効率改善時間帯Ｔ３１の開始時刻７時、効率改善時間帯Ｔ３２の終了時刻２２時に、被監視機器の動作をオフさせる制御内容を設定する。これは、できるだけ省エネルギー方向に改善する制御スケジュールを作成するためである。したがって、効率改善時間帯Ｔ３１は、開始時刻７時に、被監視機器の動作をオフさせる制御内容を設定され、効率改善時間帯Ｔ３２は、終了時刻２２時に、被監視機器の動作をオフさせる制御内容を設定される。
【００７７】
または、制御スケジュール生成部１４ｄは、図９（ｃ）に示すように、効率改善時間帯Ｔ３１，Ｔ３２の期間内で、被監視機器の動作をオフさせる制御内容を複数回繰り返して設定してもよい。この場合、制御スケジュールは、より省エネルギー方向に改善される。
【００７８】
表示部１２は、制御スケジュール生成部１４ｄが生成した図９（ｂ）または図９（ｃ）に示す制御スケジュールを提示する。電力管理者は、入力部１１を操作することで、上記のように生成された制御スケジュールを確認することができ、必要に応じて、この改善後の制御スケジュールを通信部１５から照明制御装置５及び空調制御装置６に送信し、照明制御装置５及び空調制御装置６に記憶された制御スケジュール情報を更新する。
【００７９】
次に、制御スケジュールにおいて、効率改善時間帯Ｔ３（Ｔ３１，Ｔ３２）に設定された被監視機器の動作をオフさせる時刻（以降、オフ制御時刻と称す）を、被監視機器の使用状況から自動調整する動作について説明する。なお、制御スケジュール生成部１４ｄが本スケジュール自動調整処理に適用するスケジュール設定ルールは、以下のように予め設定されている。
【００８０】
まず、図１０（ａ）に示すように、有益使用時間帯Ｔ１が８時〜２０時、無駄使用時間帯Ｔ２が０時〜７時、２２時〜２４時、効率改善時間帯Ｔ３１が７時〜８時、効率改善時間帯Ｔ３２が２０時〜２２時に設定されている。制御スケジュール生成部１４ｄは、照明制御装置５または空調制御装置６から制御スケジュールを取得する。取得した現在の制御スケジュールは、図１０（ａ）に示すように、被監視機器の動作がオンする時刻８時（オン制御時刻）、被監視機器の動作がオフする時刻７時，２０時，２２時（オフ制御時刻）が登録されている。
【００８１】
そこで、制御スケジュール生成部１４ｄは、効率改善時間帯Ｔ３２の終了時刻に設定されているオフ制御時刻２２時を早めて、効率改善時間帯Ｔ３２を短縮し、無駄使用時間帯Ｔ２を延長することで、制御スケジュールを省エネルギー方向に改善する。
【００８２】
まず、図１０（ｂ）は、２０時〜２２時の効率改善時間帯Ｔ３２における制御スケジュールを拡大したものであり、初期状態は、スケジュール設定されたオフ制御時刻２０時、オフ制御時刻２２時に設定されている。制御スケジュール生成部１４ｄは、図１０（ｃ）に示すように、１日に１回、オフ制御時刻を２２時から１０分ずつ早めていく。そして、１日目にオフ制御時刻２１時５０分に早めた後に、２１時５０分〜２２時までの１０分間（無駄使用時間帯Ｔ２の延長期間）に、就業者が操作スイッチＳ１，Ｓ２等を操作して、被監視機器の動作をオンさせたか否かを判定する。就業者によるオン操作がなければ、２日目にオフ制御時刻２１時４０分に早めて、２１時４０分〜２２時までの２０分間（無駄使用時間帯Ｔ２の延長期間）に、就業者によるオン操作があるか否かを判定する。就業者によるオン操作がなければ、３日目にオフ制御時刻２１時３０分に早めて、２１時３０分〜２２時までの３０分間（無駄使用時間帯Ｔ２の延長期間）に、就業者によるオン操作があるか否かを判定する。
【００８３】
３日目に就業者によるオン操作があれば、４日目にオフ制御時刻を１０分遅らせて２１時４０分に変更し、２１時４０分〜２２時までの２０分間（無駄使用時間帯Ｔ２の延長期間）に、就業者によるオン操作があるか否かを判定する。就業者によるオン操作がなければ、５日目にオフ制御時刻２１時３０分に早めて、２１時３０分〜２２時までの３０分間（無駄使用時間帯Ｔ２の延長期間）に、就業者によるオン操作があるか否かを判定する。
【００８４】
上記のように、無駄使用時間帯Ｔ２の延長期間に就業者によるオン操作がなければ、オフ制御時刻を１０分早めて、無駄使用時間帯Ｔ２の延長期間に就業者によるオン操作があれば、オフ制御時刻を１０分遅らせる処理を繰り返し、オフ制御時刻を１０分早める処理とオフ制御時刻を１０分遅らせる処理とが交互に３回繰り返された時点で、当該時点におけるオフ制御時刻（１０分遅らせた側の時刻）に固定される（図１０（ｃ）では８日目の時点におけるオフ制御時刻２１時４０分）。
【００８５】
したがって、制御スケジュールは、被監視機器の使用状況に即して、より省エネルギー方向に改善される。また、本例は、制御スケジュールの登録件数の上限による制限や、実際の快適性の点からも有利である。
【００８６】
電力管理者は、入力部１１を操作することで、上記のようにオフ制御時刻を自動調整した制御スケジュールを表示部１２に提示させて確認することができ、必要に応じて、この改善後の制御スケジュールを通信部１５から照明制御装置５及び空調制御装置６に送信し、照明制御装置５及び空調制御装置６に記憶された制御スケジュール情報を更新する。
【００８７】
また、効率改善時間帯Ｔ３１においても、効率改善時間帯Ｔ３１の開始時刻に設定されているオフ制御時刻７時を遅らせて、効率改善時間帯Ｔ３１を短縮し、無駄使用時間帯Ｔ２を延長することで、制御スケジュールを省エネルギー方向に改善することができる。
【００８８】
次に、制御スケジュール生成部１４ｄが、効率改善時間帯Ｔ３において電力の使用量が漸次減少する制御スケジュールを生成する動作について説明する。
【００８９】
まず、図１１（ａ）に示すように、有益使用時間帯Ｔ１が８時〜２０時、無駄使用時間帯Ｔ２が０時〜７時、２２時〜２４時、効率改善時間帯Ｔ３１が７時〜８時、効率改善時間帯Ｔ３２が２０時〜２２時に設定されている。制御スケジュール生成部１４ｄは、照明制御装置５または空調制御装置６から制御スケジュールを取得する。取得した現在の制御スケジュールは、図１１（ａ）に示すように、被監視機器の動作がオンする時刻８時，２０時（オン制御時刻）、被監視機器の動作がオフする時刻７時，２２時（オフ制御時刻）が登録されている。
【００９０】
効率改善時間帯Ｔ３２において電力の使用量を一定に設定した制御スケジュールでは、被監視機器の使用電力は図１１（ｂ）のようになり、効率改善時間帯Ｔ３２で省エネルギー化を図っているとは言い難い。
【００９１】
そこで、制御スケジュール生成部１４ｄは、取得した制御スケジュールにおいて、効率改善時間帯Ｔ３２の開始時刻２０時にオン制御が登録され、効率改善時間帯Ｔ３２の終了時刻２２時にオフ制御が登録されていることに着目して、２０時〜２２時に亘って電力の使用量が漸次減少する制御スケジュールを生成することで、制御スケジュールを省エネルギー方向に改善する。したがって、制御スケジュールは、効率改善時間帯Ｔ３２において、より省エネルギー方向に改善されており、被監視機器の使用電力は図１１（ｃ）のようになり、効率改善時間帯Ｔ３２での省エネルギー化を実現している。
【００９２】
電力管理者は、入力部１１を操作することで、上記のように２０時〜２２時に亘って電力の使用量が漸次減少する制御スケジュールを表示部１２に提示させて確認することができ、必要に応じて、この改善後の制御スケジュールを通信部１５から照明制御装置５及び空調制御装置６に送信し、照明制御装置５及び空調制御装置６に記憶された制御スケジュール情報を更新する。
【００９３】
このように、本実施形態では、スケジュール設定ルールを各時間帯の設定状況に適用して制御スケジュールを作成、改善しており、電力管理者の手を煩わせることなく制御スケジュールを自動作成することができる。
【００９４】
（実施形態３）
本実施形態では、資源使用状態判定部１４ｃが、資源使用情報取得部１４ａが取得した使用電力量のデータに基づいて、効率改善時間帯Ｔ３において削減した一週間の電力量を算出し、表示部１２が、効率改善時間帯Ｔ３において削減した一週間分の電力量を提示する。
【００９５】
この効率改善時間帯Ｔ３において削減した一週間分の電力量は、効率改善時間帯Ｔ３において使用可能な一週間分の電力の最大使用量と、効率改善時間帯Ｔ３における実際の一週間分の電力の使用量とを比較して、両使用量の差を算出することで得られる。そして、資源使用状態判定部１４ｃは、図１２に示すように、週間表示部Ｇ２の下方に電力削減量表示部Ｇ４を生成している。電力使用状況表示部Ｇ４は、効率改善時間帯Ｔ３において削減した一週間分の電力量を具体的な数字（ｋＷｈ）で表示している。
【００９６】
電力管理者は、入力部１１を操作することで、上記のように生成された表示部１２の提示内容を見ることができる。したがって、電力の削減量を提示されることで、省エネルギーに対する意識がより高まり、省エネルギー化に対する意識啓発となる。
【００９７】
なお、他の構成は実施形態１または２と同様であり、説明は省略する。
【００９８】
（実施形態４）
本実施形態では、資源使用状態判定部１４ｃが、資源使用情報取得部１４ａが取得した使用電力量のデータに基づいて、効率改善時間帯Ｔ３における電力の使用量が無駄であるか否かを評価し、表示部１２が、当該評価結果を提示する。
【００９９】
具体的に、資源使用状態判定部１４ｃは、資源使用情報取得部１４ａが取得した使用電力量のデータに基づいて、各効率改善時間帯Ｔ３において、１度も使用電力量が０にならなかった場合、または１度も被監視機器の動作がオフしなかった場合に、当該効率改善時間帯Ｔ３での使用電力量は無駄であると判断する。また、資源使用状態判定部１４ｃは、中央監視盤２から人感センサＲ１，Ｒ２の測定データを取得し、効率改善時間帯Ｔ３において、人がいないエリアの被監視機器が動作している場合も、当該当該効率改善時間帯Ｔ３での使用電力量は無駄であると判断する。そして、資源使用状態判定部１４ｃは、図１３に示すように、週間表示部Ｇ２の下方に無駄電力量表示部Ｇ５を生成している。無駄電力量表示部Ｇ５は、効率改善時間帯Ｔ３において無駄であると判断された一週間分の電力量を具体的な数字（ｋＷｈ）で表示している。
【０１００】
電力管理者は、入力部１１を操作することで、上記のように生成された表示部１２の提示内容を見ることができる。したがって、効率改善時間帯Ｔ３における無駄な電力量を提示されることで、効率改善時間帯Ｔ３における無駄な制御内容を判別しやすくなり、制御スケジュールの改善点を的確に見出すことができる。
【０１０１】
なお、他の構成は実施形態１乃至３いずれかと同様であり、説明は省略する。
【０１０２】
（実施形態５）
本実施形態では、時間帯設定部１４ｂが、有益使用時間帯Ｔ１、無駄使用時間帯Ｔ２、効率改善時間帯Ｔ３以外に、被監視機器が必ず動作しなければならない（必ず電力を使用しなければならない）とみなす使用必須時間帯を設定する。使用必須時間帯は、夜間の看板や非常灯等のように、所定の時間帯に必ず使用しなければならない被監視機器（動作必須被監視機器）に対して設定される。
【０１０３】
資源使用状態判定部１４ｃは、資源使用情報取得部１４ａが取得した使用電力量のデータに基づいて、必須使用時間帯における使用電力量を算出し、当該算出した使用電力量が所定のしきい値（待機電力量に相当）未満の場合、動作必須被監視機器が動作していないと判定する。表示部１２は、動作必須被監視機器が動作していない旨をディスプレイ上に提示し、当該提示内容を見た電力管理者は、動作必須被監視機器の制御スケジュールを改善する。
【０１０４】
したがって、電力管理者が、省エネルギー効果を追及するあまり、夜間の看板や非常灯等のような動作必須被監視機器の動作を停止させ、必要な電力も安易に削減するような誤った制御スケジュールを作成した場合に、この誤りを検出し、電力管理者に通知することができる。
【０１０５】
また、制御スケジュール生成部１４ｄは、照明制御装置５または空調制御装置６から取得した制御スケジュールにおいて、使用必須時間帯の開始時刻および終了時刻の各々に制御内容が設定されていない場合、被監視機器の動作をオンさせる制御内容を当該時刻に設定する。または、使用必須時間帯の開始時刻にのみ上記処理を行ってもよい。
【０１０６】
したがって、制御スケジュールは、使用必須時間帯における動作必須被監視機器を確実に動作させるものとなり、被監視機器の運用を適切に改善できる。
【０１０７】
電力管理者は、入力部１１を操作することで、上記のように使用必須時間帯における被監視機器の運用を改善した制御スケジュールを表示部１２に提示させて確認することができ、必要に応じて、この改善後の制御スケジュールを通信部１５から照明制御装置５及び空調制御装置６に送信し、照明制御装置５及び空調制御装置６に記憶された制御スケジュール情報を更新する。
【０１０８】
さらに、図１４に示すように、端末装置１の演算部１４にスケジュール判定部１４ｅ（スケジュール判定手段）を設けて、電力管理者が作成した制御スケジュールの誤りを検出してもよい。
【０１０９】
電力管理者が入力部１１（スケジュール入力手段）を操作して作成した制御スケジュール情報を、通信部１５から照明制御装置５及び空調制御装置６に送信する前に、スケジュール判定部１４ｅは、時間帯設定部１４ｂが設定した各時間帯と、当該作成された制御スケジュール情報との整合性を判定する。
【０１１０】
例えば、スケジュール判定部１４ｅは、制御スケジュール情報において、被監視機器の動作をオフする制御内容が使用必須時間帯に設定されていた場合、作成された制御スケジュール情報は、時間帯設定部１４ｂが設定した使用必須時間帯との整合性がとれていないと判定する。表示部１２は、作成された制御スケジュール情報と使用必須時間帯との整合性がとれていない旨をディスプレイ上に提示し、当該提示内容を見た電力管理者は、制御スケジュールを改善する。したがって、電力管理者が、作成した制御スケジュールの誤りを検知でき、被監視機器の運用を適切に行うことができる。
【０１１１】
なお、他の構成は実施形態１乃至４いずれかと同様であり、説明は省略する。
【０１１２】
また、各実施形態では、被監視機器が使用する資源として電力を例示したが、ガス等の他の資源であっても同様の効果を得ることができる。
【符号の説明】
【０１１３】
１  端末装置
１１  入力部（スケジュール入力手段）
１２  表示部（提示手段）
１４ａ  資源使用情報取得部（資源使用情報取得手段）
１４ｂ  時間帯設定部（時間帯設定手段）
１４ｃ  資源使用状態判定部（資源使用状態判定手段）
１４ｄ  制御スケジュール生成部（制御スケジュール生成手段）
１４ｅ  スケジュール判定部（スケジュール判定手段）
２  中央監視盤
３  電力量監視装置
５  照明制御装置
６  空調制御装置
Ｌ１，Ｌ２  照明器具
ＡＣ１，ＡＣ２  空調機
【図１】
0005416571.tif 000002
【図２】
0005416571.tif 000003
【図３】
0005416571.tif 000004
【図４】
0005416571.tif 000005
【図５】
0005416571.tif 000006
【図６】
0005416571.tif 000007
【図７】
0005416571.tif 000008
【図８】
0005416571.tif 000009
【図９】
0005416571.tif 000010
【図１０】
0005416571.tif 000011
【図１１】
0005416571.tif 000012
【図１２】
0005416571.tif 000013
【図１３】
0005416571.tif 000014
【図１４】
0005416571.tif 000015